【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
水性ナノ粒子分散液を含むクリアコート組成物であって、前記ナノ粒子が、実質的に分散されており、１ミクロン未満、好ましくは５００ｎｍ未満、より好ましくは１００ｎｍ未満、一層より好ましくは５０ｎｍ未満の平均粒径Ｄ５０を有する、組成物。
【請求項２】
ナノ粒子が、１ミクロン未満、好ましくは５００ｎｍ未満、より好ましくは１００ｎｍ未満、一層より好ましくは５０ｎｍ未満の粒径Ｄ９０を有する、請求項１に記載のクリアコート組成物。
【請求項３】
ナノ粒子の窒素ＢＥＴ表面積が、２０ｍ２／ｇより大きい、好ましくは３０ｍ２／ｇより大きい、より好ましくは３５ｍ２／ｇより大きい、及び一層より好ましくは約４０ｍ２／ｇ以上である、請求項１又は２に記載のクリアコート組成物。
【請求項４】
請求項１から３のいずれか一項に記載のクリアコート組成物であって、ナノ粒子が、炭酸カルシウム、Ｌｉ２ＣＯ３、ＢｅＣＯ３、ＭｇＣＯ３、ＳｒＣＯ３、ＢａＣＯ３、及びＲａＣＯ３を含む他のアルカリ及びアルカリ土類炭酸塩；Ｆｅ（ＩＩ）、Ｆｅ（ＩＩＩ）、Ｍｎ（ＩＩ）、Ｚｎ、Ａｇ、Ｈｇ（Ｉ）、Ｈｇ（ＩＩ）、Ｃｕ（ＩＩ）、Ｐｂ（ＩＩ）、Ｂｉ（ＩＩＩ）の炭酸塩；Ｂａ、Ｃａ、Ｍｇ、Ａｌ、Ｃｒ（ＩＩＩ）、Ｆｅ（ＩＩ）、Ｆｅ（ＩＩＩ）、Ｍｎ（ＩＩ）、Ｚｎ、Ａｇ、Ｃｕ（ＩＩ）、Ｐｂ（ＩＩ）のケイ酸塩；Ｆｅ（ＩＩ）、Ｍｎ（ＩＩ）、Ｚｎ、Ａｇ、Ｈｇ（Ｉ）、Ｈｇ（ＩＩ）、Ｃｕ（ＩＩ）、Ｐｂ（ＩＩ）、Ｂｉ（ＩＩＩ）、Ｓｎ（ＩＩ）の硫化物；上記金属の酸化物及び水酸化物；ヒドロキシアパタイト；１，８−ビス−（ジメチルアミノ）ナフタレン、１，８−ビス（ヘキサメチルトリアミノホスファゼニル）ナフタレン及び２，６−ジ−ｔｅｒｔ−ブチルピリジンを含む有機化合物；又は前述のものの任意の組合せを含む群から選択される、組成物。
【請求項５】
炭酸カルシウムが、チョーク、石灰石、大理石の粉砕から得られる重質炭酸カルシウム、又は沈降炭酸カルシウムのいずれかであり、好ましくは重質炭酸カルシウムであり、より好ましくはサブミクロン重質炭酸カルシウム（ＳＭＧＣＣ）である、請求項４に記載のクリアコート組成物。
【請求項６】
請求項１から５のいずれか一項に記載のクリアコート組成物であって、前記ナノ粒子が、ビニル−アクリル、スチレン−アクリル、アクリル分散液、アクリル溶液、アルキド、水又は溶媒中に分散されたポリウレタン、ポリエステル、ポリエステルベースのポリウレタン、ポリエステルベースのポリ尿素及びポリエステルベースのポリアミドを含むエステル基を含有するポリマーを含む少なくとも１種のバインダーに分散されており、好ましくは、前記バインダーが、ポリエステル−ポリウレタンポリマーバインダーである、クリアコート組成物。
【請求項７】
コーティング組成物中に含有される実質的に分散されたナノ粒子が、≦３５０ｎｍ、好ましくは≦３００ｎｍのＤ９８粒径、及び≦２００ｎｍ、好ましくは≦１５０ｎｍのＤ５０粒径を有する、請求項１から６のいずれか一項に記載のクリアコート組成物。
【請求項８】
水性ナノ粒子分散液を含む光沢付与性及び不透明化コーティング組成物であって、前記ナノ粒子が、実質的に分散されており、１ミクロン未満、好ましくは５００ｎｍ未満、より好ましくは１００ｎｍ未満、一層より好ましくは５０ｎｍ未満の平均粒径Ｄ５０を有する、組成物。
【請求項９】
ナノ粒子が、１ミクロン未満、好ましくは５００ｎｍ未満、より好ましくは１００ｎｍ未満、一層より好ましくは５０ｎｍ未満の粒径Ｄ９０を有する、請求項８に記載の光沢付与性及び不透明化コーティング組成物。
【請求項１０】
ナノ粒子の窒素ＢＥＴ表面積が、２０ｍ２／ｇより大きい、好ましくは３０ｍ２／ｇより大きい、より好ましくは３５ｍ２／ｇより大きい、一層より好ましくは約４０ｍ２／ｇ以上である、請求項８又は９に記載の光沢付与性及び不透明化コーティング組成物。
【請求項１１】
請求項８から１０のいずれか一項に記載の光沢付与性及び不透明化コーティング組成物であって、ナノ粒子が、炭酸カルシウム、Ｌｉ２ＣＯ３、ＢｅＣＯ３、ＭｇＣＯ３、ＳｒＣＯ３、ＢａＣＯ３、及びＲａＣＯ３を含む他のアルカリ及びアルカリ土類炭酸塩；Ｆｅ（ＩＩ）、Ｆｅ（ＩＩＩ）、Ｍｎ（ＩＩ）、Ｚｎ、Ａｇ、Ｈｇ（Ｉ）、Ｈｇ（ＩＩ）、Ｃｕ（ＩＩ）、Ｐｂ（ＩＩ）、Ｂｉ（ＩＩＩ）の炭酸塩；Ｂａ、Ｃａ、Ｍｇ、Ａｌ、Ｃｒ（ＩＩＩ）、Ｆｅ（ＩＩ）、Ｆｅ（ＩＩＩ）、Ｍｎ（ＩＩ）、Ｚｎ、Ａｇ、Ｃｕ（ＩＩ）、Ｐｂ（ＩＩ）のケイ酸塩；Ｆｅ（ＩＩ）、Ｍｎ（ＩＩ）、Ｚｎ、Ａｇ、Ｈｇ（Ｉ）、Ｈｇ（ＩＩ）、Ｃｕ（ＩＩ）、Ｐｂ（ＩＩ）、Ｂｉ（ＩＩＩ）、Ｓｎ（ＩＩ）の硫化物；上記金属の酸化物及び水酸化物；ヒドロキシアパタイト；１，８−ビス−（ジメチルアミノ）ナフタレン、１，８−ビス（ヘキサメチルトリアミノホスファゼニル）ナフタレン及び２，６−ジ−ｔｅｒｔ−ブチルピリジンを含む有機化合物；又は前述のものの任意の組合せを含む群から選択される、組成物。
【請求項１２】
炭酸カルシウムが、チョーク、石灰石、大理石の粉砕から得られる重質炭酸カルシウムか、又は沈降炭酸カルシウムのいずれかであり、好ましくは重質炭酸カルシウムであり、より好ましくはサブミクロン重質炭酸カルシウム（ＳＭＧＣＣ）である、請求項１１に記載の光沢付与性及び不透明化コーティング組成物。
【請求項１３】
請求項８から１２のいずれか一項に記載の光沢付与性及び不透明化コーティング組成物であって、前記ナノ粒子が、ビニル−アクリル、スチレン−アクリル、アクリル分散液、アクリル溶液、アルキド、水又は溶媒のいずれかに分散されたポリウレタン、ポリエステル、ポリエステルベースのポリウレタン、ポリエステルベースのポリ尿素及びポリエステルベースのポリアミドを含むエステル基を含有するポリマーを含む少なくとも１種のバインダー中に分散されており、好ましくは、前記バインダーが、ポリエステル−ポリウレタンポリマーバインダーである、組成物。
【請求項１４】
５％から最大で臨界顔料体積濃度（ＣＰＶＣ）までの顔料体積濃度（ＰＶＣ）を有し、０．０５から０．３μｍの間のＤ５０（Ｍａｌ）を有する少なくとも１種の重質炭酸カルシウム、及び２．５以上の屈折率を有する少なくとも１種の顔料を含む、請求項８から１３のいずれか一項に記載の光沢付与性及び不透明化組成物。
【請求項１５】
重質炭酸カルシウムが、０．１から０．３μｍの間のＤ５０（Ｍａｌ）を有する、請求項１４に記載の光沢付与性及び不透明化組成物。
【請求項１６】
重質炭酸カルシウムが、３より大きいＤ９８／Ｄ５０（Ｍａｌ）を有する、請求項８から１５に記載の光沢付与性及び不透明化組成物。
【請求項１７】
重質炭酸カルシウムが、１μｍ以下、好ましくは０．６μｍ以下、より好ましくは０．４μｍ以下のＤ９８を有する、請求項１６に記載の光沢付与性及び不透明化組成物。
【請求項１８】
重質炭酸カルシウムが、約１．５から１．７の屈折率を有する、請求項８から１７のいずれか一項に記載の光沢付与性及び不透明化組成物。
【請求項１９】
２．５以上の屈折率を有する顔料が、次のもの：二酸化チタン及び／又は硫化亜鉛及び／又は酸化亜鉛の１つ以上から選択され、好ましくは二酸化チタンである、請求項１４から１８のいずれか一項に記載の光沢付与性及び不透明化組成物。
【請求項２０】
２．５以上の屈折率を有する顔料が、二酸化チタンであり、二酸化チタン：重質炭酸カルシウムの重量比が、７０：３０から９８：２であり、より好ましくは二酸化チタン：重質炭酸カルシウムの重量比が、８５：１５から９０：１０である、請求項１９に記載の光沢付与性及び不透明化組成物。
【請求項２１】
クリアコート組成物を形成する方法であって、水、ナノ粒子及び少なくとも１種のバインダーが、クリアコート組成物を形成するために、合わせられ、次いで、分散される方法。
【請求項２２】
ナノ粒子が、１種以上の分散剤と共に分散される、請求項２１に記載の方法。
【請求項２３】
ａ）０．０５から０．３μｍの間のＤ５０（Ｍａｌ）を有する少なくとも１種の重質炭酸カルシウムを提供し、
ｂ）２．５以上の屈折率を有する少なくとも１種の顔料を提供し、
ｃ）少なくとも１種のバインダーを提供し、
ｄ）ステップａ）の重質炭酸カルシウムを、ステップｂ）の顔料及びステップｃ）のバインダーと混合する、
光沢付与性及び不透明化組成物を形成する方法。
【請求項２４】
基材をコーティングするための請求項１から７のいずれか一項に記載のクリアコート組成物の使用。
【請求項２５】
請求項１から７のいずれか一項に記載のクリアコート組成物でコーティングされた被覆基材。
【請求項２６】
基材が、紙、不織布材料、テキスタイル、革、木材、コンクリート、メーソンリー、金属、ハウスラップ及び他の建築材料、繊維ガラス、ポリマー物品、個人用保護具、カーペット、衣料用テキスタイル、室内装飾材料、テント、天幕、エアバッグ、布、糸、及び織物、不織物又は編物を問わない、及び天然物、合成物又は再生物を問わないブレンドを含む多孔質及び非多孔質基材から選択される、請求項２４に記載の被覆基材。
【請求項２７】
被覆基材が、紙及び不織布、繊維材料、フィルム、シート、複合材、インク、印刷用バインダー、フロック及び他の接着剤、並びにスキンケア、ヘアケア、及びネイルケア製品を含むパーソナルヘア製品、家畜及び飼料用途を含む、請求項２４又は２５に記載の被覆基材。
【請求項２８】
コーティング組成物が、１００から４００ｎｍの間の厚さを有する層を形成する量で基材に適用される、請求項２４から２６のいずれか一項に記載の被覆基材。
【請求項２９】
基材をコーティングするための、請求項８から２０のいずれか一項に記載の光沢付与性及び不透明化組成物の使用。
【請求項３０】
請求項８から２０のいずれか一項に記載の光沢付与性及び不透明化組成物でコーティングされた被覆基材。
【請求項３１】
基材が、紙、不織布材料、テキスタイル、革、木材、コンクリート、メーソンリー、金属、ハウスラップ及び他の建築材料、繊維ガラス、ポリマー物品、個人用保護具、カーペット、衣料用テキスタイル、室内装飾材料、テント、天幕、エアバッグ、布、糸、及び織物、不織物又は編物を問わない、及び天然物、合成物又は再生物を問わないブレンドを含む多孔質及び非多孔質基材から選択される、請求項３０に記載の被覆基材。
【請求項３２】
被覆基材が、紙及び不織布、繊維材料、フィルム、シート、複合材、インク、印刷用バインダー、フロック及び他の接着剤、並びにスキンケア、ヘアケア、及びネイルケア製品を含むパーソナルヘア製品、家畜及び飼料用途を含む、請求項３０又は３１に記載の被覆基材。
【請求項３３】
コーティング組成物が、１００から４００ｎｍの間の厚さを有する層を形成する量で基材に適用される、請求項３０から３２のいずれか一項に記載の被覆基材。
【請求項３４】
光沢付与性及び不透明化コーティング組成物が、６０°で測定して７０％より大きい光沢度及び９７％より大きい不透明度を提供する、請求項３０から３３のいずれか一項に記載の被覆基材。
【請求項３５】
クリアコート組成物でコーティングされた被覆基材を形成する方法であって、請求項１から７のいずれか一項に記載のクリアコート組成物が、好ましくはコーティング、含浸又は別の処理によって基材に適用される方法。
【請求項３６】
コーティング組成物が、１００から４００ｎｍの間の厚さを有する層を形成する量で基材に適用される、請求項３５に記載の方法。
【請求項３７】
被覆基材が、さらに乾燥され及び場合によって硬化される、請求項３５又は３６に記載の方法。
【請求項３８】
光沢付与性及び不透明化組成物でコーティングされた被覆基材を形成する方法であって、請求項８から２０のいずれか一項に記載の光沢付与性及び不透明化組成物が、好ましくはコーティング、含浸又は別の処理によって基材に適用される方法。
【請求項３９】
コーティング組成物が、１００から４００ｎｍの間の厚さを有する層を形成する量で基材に適用される、請求項３８に記載の方法。
【請求項４０】
被覆基材が、さらに乾燥され及び場合によって硬化される、請求項３８又は３９に記載の方法。
【請求項４１】
水、ポリエステル−ポリウレタンポリマーバインダー及び複数の実質的に分散されたサブミクロンの天然重質炭酸カルシウムを含む粒子を含む、コロイドとして安定な水性分散液。
【請求項４２】
実質的に分散された形態のサブミクロンの天然重質炭酸カルシウムを含む粒子を含有するバインダーを含む組成物。